(57)【要約】【課題】部品点数および工数を増加させることなくシール部材のファンカバーへの取り付け精度を向上した電動送風機を提供する。【解決手段】ファンカバー16のカバー吸気口87と遠心ファン14の吸込口57との間に位置し、カバー吸気口87と吸込口57とを気密に接続するシール部材92を有する。ファンカバー16は、カバー吸気口87の外部に位置する平板部85を備える。ファンカバー16は、カバー吸気口87の縁部に外周に向けて折り返し形成した支持部91を備える。支持部91は、シール部材92を平板部85との間で挟持する。【選択図】図１
2011252404.tif 000002
【特許請求の範囲】
【請求項１】
回転軸を備えた電動機と、
中央部に吸込口を備え、前記電動機の回転軸に連結された遠心ファンと、
中央部にカバー吸気口を備え、前記遠心ファンの少なくとも一部を覆って前記電動機に取り付けられたファンカバーと、
このファンカバーのカバー吸気口と前記遠心ファンの吸込口との間に位置し、これらカバー吸気口と吸込口とを気密に接続するシール部材とを具備し、
前記ファンカバーは、
カバー吸気口の外部に位置する壁部と、
前記カバー吸気口の縁部に外周に向けて折り返し形成され前記シール部材を前記壁部との間で挟持する支持部を備えている
ことを特徴とした電動送風機。
【請求項２】
支持部は、先端部に壁部側へと折り曲げ形成されシール部材に食い込んでこのシール部材を保持する保持部を有している
ことを特徴とした請求項１記載の電動送風機。
【請求項３】
支持部は、壁部側に形成されシール部材との接触面積を増加させてこのシール部材を保持するローレット部を有している
ことを特徴とした請求項１記載の電動送風機。
【請求項４】
ローレット部は、ファンカバーの径方向に沿って形成され互いに交差する溝部を備えている
ことを特徴とした請求項３記載の電動送風機。
【発明の詳細な説明】
【技術分野】
【０００１】
本発明の実施形態は、ファンカバーのカバー吸気口と遠心ファンの吸込口とを気密に接続するシール部材を備えた電動送風機に関する。
【背景技術】
【０００２】
従来、例えば電気掃除機などに用いられる電動送風機は、回転軸を備えた電動機を備えている。この電動機の回転軸は、整流板であるディフューザに挿通され、このディフューザを貫通した回転軸の先端には、遠心ファンが連結されている。また、これらディフューザおよび遠心ファンを覆って、ファンカバーが電動機に取り付けられている。そして、ファンカバーの中央部に形成されたカバー吸気口の縁部には、遠心ファンから外周方向へと吹き出された空気の循環流を遮断するためのシール部材が取り付けられている。このシール部材は、弾性を有する部材により環状に形成されており、遠心ファンの吸込口が食い込むことにより、この吸込口とカバー吸気口とを気密に接続するように構成されている。
【先行技術文献】
【特許文献】
【０００３】
【特許文献１】特許第２８８５０４２号公報
【発明の概要】
【発明が解決しようとする課題】
【０００４】
遠心ファンの外周方向へと吹き出された空気が吸込口へと循環すると、電動送風機の仕事率(効率)が低下するため、シール部材によって、より確実に循環流を遮断することが望まれている。したがって、シール部材は、気密性を確保するために、遠心ファンの吸込口に対して均一の押圧状態となるように高精度で取り付けることが望ましい。
【０００５】
また、このように高精度にシール部材を取り付ける際には、シール部材の固定用の部材などを別途用いることなく取り付けできることが望ましい。
【０００６】
本発明は、このような点に鑑みなされたもので、部品点数および工数を増加させることなくシール部材のファンカバーへの取り付け精度を向上した電動送風機を提供することを目的とする。
【課題を解決するための手段】
【０００７】
実施形態の電動送風機は、ファンカバーのカバー吸気口と遠心ファンの吸込口との間に位置し、これらカバー吸気口と吸込口とを気密に接続するシール部材を有する。また、ファンカバーは、カバー吸気口の外部に位置する壁部を備える。さらに、ファンカバーは、カバー吸気口の縁部に外周に向けて折り返し形成されシール部材を壁部との間で挟持する支持部を備える。
【図面の簡単な説明】
【０００８】
【図１】第１の実施形態の電動送風機の一部を拡大して示す縦断面図である。
【図２】同上電動送風機を、一部を切り欠いて示す側面図である。
【図３】第２の実施形態の電動送風機の一部を拡大して示す縦断面図である。
【図４】第３の実施形態の電動送風機の一部を拡大して示す縦断面図である。
【図５】同上電動送風機のファンカバーの一部を示す平面図である。
【図６】同上電動送風機のファンカバーの他の一部を図５と反対側から示す平面図である。
【発明を実施するための形態】
【０００９】
以下、第１の実施形態の構成を図１および図２を参照して説明する。
【００１０】
図２において、11は電動送風機を示し、この電動送風機11は、例えば電気掃除機、あるいはブロワなどに用いられるものである。そして、この電動送風機11は、電動機13と、この電動機13に接続されて回転される遠心ファン14と、これら電動機13と遠心ファン14との間に位置する整流板であるディフューザ15と、遠心ファン14およびディフューザ15の一部を覆う略円筒状のファンカバー16とを備えており、図示しない制御手段により動作が制御される。なお、以下、便宜的に、電動機13側を下側、遠心ファン14側(ファンカバー16側)を上側として説明する。
【００１１】
電動機13は、本体部であるモータ本体部21と、このモータ本体部21を保持する胴体ケースとしてのフレーム22とを有している。
【００１２】
モータ本体部21は、例えば四角形枠状の固定子25の内方に回転子26が配置されて構成されたインナロータ型の周知のものであり、本実施形態では、ブラシ装置27を用いる整流子モータとするが、例えばブラシレスモータなどでもよい。
【００１３】
固定子25は、ステータ、あるいはフィールドとも呼ばれるもので、界磁巻線29により周方向に複数の固定磁極を形成する。
【００１４】
また、回転子26は、ロータ、あるいは電機子すなわちアーマチュアとも呼ばれるもので、回転中心となる出力軸である回転軸31に、ブラシ装置27と摺接する整流子32、および、この整流子32に電気的に接続され回転磁極を形成する回転子本体としてのアーマチュアコア33が一体的に形成されている。
【００１５】
回転軸31は、軸方向の一端部である上端部が、ディフューザ15に挿通され、この上端部に遠心ファン14が接続されている。また、この回転軸31は、両端側がベアリング35，36によりそれぞれ回転自在に保持されている。
【００１６】
また、フレーム22は、略有底円筒状の第１フレーム41とこの第１フレーム41の上端部に径方向に沿って配置された第２フレーム42とを有している。
【００１７】
第１フレーム41は、例えば金属、あるいは合成樹脂などにより形成され、内部に固定子25を保持している。また、この第１フレーム41の下端側には、各ブラシ装置27が取り付けられるブラシ取付孔44が互いに対向する位置に開口形成されているとともに、これらブラシ取付孔44の間の位置に、複数の排気口45が開口形成されている。さらに、この第１フレーム41の下端部には、ベアリング35を保持するモータヘッド部46が同軸状に形成されている。
【００１８】
第２フレーム42は、例えば金属、あるいは合成樹脂などにより形成され、両端部がねじ51を介して第１フレーム41の上端側に径方向に沿って固定されている。また、この第２フレーム42の中央部には、ベアリング36を内側に保持するベアリング保持部52が上側へと突出するように形成されており、このベアリング保持部52の外側が、ディフューザ15を固定する部分となっている。
【００１９】
また、各ブラシ装置27は、図示しない電源に対して電気的に接続される角柱状のカーボンブラシ54を内部に移動可能に保持しており、このカーボンブラシ54の先端側が整流子32に圧接されて電気的に接続されている。
【００２０】
そして、遠心ファン14は、回転軸31と一体的に回転するもので、例えばアルミニウムなどの金属により形成されている。この遠心ファン14は、一のファンプレート(シュラウド)である円板状の下部ファンプレート56、この下部ファンプレート56に対して所定の間隙を介して略平行に対向し中央部に吸込口57を備えた他のファンプレート(シュラウド)である円板状の上部ファンプレート58、および、これらファンプレート56，58の間に一体的に挟持固定された平面視で渦巻状のブレードである複数のファン翼59を備えている。
【００２１】
電動機13側に位置する下部ファンプレート56は、中央部に丸孔状の孔部61が形成されており、この孔部61に挿通された回転軸31の上端部が、ワッシャ63，64およびナット65を介して遠心ファン14と一体的に連結される。そして、この一方のワッシャ63の下側には、間隙を保持するための円筒状のスリーブ67が当接している。
【００２２】
また、上部ファンプレート58は、周縁部から吸込口57へと徐々に上方すなわち下部ファンプレート56から離間される側へと突出するように形成されている。すなわち、吸込口57の周縁部57aが、ファンカバー16側である上方に向けて突出する円筒形状に形成されている。
【００２３】
各ファン翼59は、吸込口57の外方から、各ファンプレート56，58の周縁部近傍に亘って円弧状に湾曲して延びている。また、各ファン翼59は、各ファンプレート56，58に対して面方向が略直交するように配置され、各ファンプレート56，58に対して例えばかしめなどによって一体的に固定されている。
【００２４】
また、ディフューザ15は、遠心ファン14から外周側へと吹き出された空気を整流して電動機13側へと導くもので、電動機13と遠心ファン14との間に位置している。さらに、このディフューザ15は、整流板本体としてのディフューザ本体75と、このディフューザ本体75の一主面である上面から上方へと突出した複数の上流側ブレード76と、ディフューザ本体75の他主面である下面から下方へと突出した複数の下流側ブレード77とを一体に有している。そして、このディフューザ15は、ディフューザ本体75の中央部に形成された保持孔部78に対して第２フレーム42のベアリング保持部52が下側から挿入されており、ねじ79を介して第２フレーム42と固定されている。
【００２５】
また、ファンカバー16は、例えば亜鉛めっき鋼板などの金属によりプレス成形されており、電動機13のフレーム22の第１フレーム41の上端側の外周縁部に圧入嵌合される。このファンカバー16は、円筒状の外板部81と、この外板部81の一端部である上端部から中心側へと延びる整流板対向部である延出部82と、この延出部82の中心側から一端側である上方に向けて段差状に突出する段差部としてのカバー突出部83と、このカバー突出部83の一端部である上端部から中心側へと徐々に上側へと突出するように形成された遠心ファン対向部である傾斜部84と、この傾斜部84の一端部である上端部から中心側へと伸びる壁部としての一方の挟持部である平板部85とを一体に有しており、この平板部85の中央部に、円筒状のバーリング部である筒部86が一体に形成され、この筒部86の内側が丸孔状のカバー吸気口87となっている。なお、延出部82、カバー突出部83、傾斜部84および平板部85により、外板部81に連続しファンカバー16の遠心ファン14およびディフューザ15の上流側(上側)を覆う覆い部88が形成されている。
【００２６】
外板部81は、ファンカバー16の最外周を構成するものであり、カバー吸気口87の外部に位置し、フレーム22の第１フレーム41の外縁部に対して下端部が圧入固定される。
【００２７】
延出部82は、カバー吸気口87の外部に位置し、ファンカバー16(外板部81)の軸方向に対して交差(直交)する方向に沿って平面状に形成されており、例えばディフューザ15の上流側ブレード76の上端部が圧接されることで、互いに隣接する上流側ブレード76，76との間に流路を形成するものである。
【００２８】
カバー突出部83は、外板部81と同軸状に形成された円筒状の部分であり、カバー吸気口87の外部に位置し、遠心ファン14よりもわずかに大きい径寸法を有している。そして、このカバー突出部83は、遠心ファン14との干渉を避けるように、遠心ファン14に対して離間される方向へと延出部82に対して突出している。
【００２９】
そして、図１および図２に示すように、傾斜部84は、カバー吸気口87の外部に位置し、カバー突出部83側から平板部85側へと、徐々に傾斜が大きくなるように湾曲した湾曲板状に形成されている。
【００３０】
平板部85は、ファンカバー16の最上端を構成する、すなわちファンカバー16の遠心ファン14(電動機13のフレーム22)に対して反対側の端部に位置するものであり、カバー吸気口87の外部に位置し、ファンカバー16の軸方向に対して交差(直交)する方向に沿って平面状に形成されている。
【００３１】
筒部86は、例えばバーリング加工などによって平板部85の中央部に形成されており、下側、すなわち遠心ファン14側へと突出している。また、この筒部86は、外板部81およびカバー突出部83と同軸状に形成されている。さらに、この筒部86の先端部(下端部)には、他方の挟持部である支持部91が外周に向けて折り返し形成されており、この支持部91により円環状のシール部材92がカバー吸気口87の周縁部にてファンカバー16に支持されている。
【００３２】
支持部91は、カバー吸気口87の周縁部に位置し、平板部85に対して略平行な平板状、すなわちフランジ状に形成されている。したがって、この支持部91は、平板部85の下側に、この平板部85に対して離間された状態で対向している。また、この支持部91は、筒部86から外周方向への突出量が平板部85よりも小さく、例えば、支持部91の筒部86からの突出量は、シール部材92の径方向の厚みに対して半分以下に設定されている。なお、支持部91は、カバー吸気口87(筒部86)の全周に亘って円環状に連続して形成してもよいし、周方向に複数箇所にそれぞれ爪状に形成してもよい。
【００３３】
また、シール部材92は、遠心ファン14から外周方向へと吹き出された空気の吸込口57への循環流を遮断するもので、遠心ファン14およびファンカバー16を構成する部材よりも軟質で、かつ、弾性、耐熱性および滑り性を有する部材などにより形成されており、支持部91と平板部85との間で軸方向に挟持されている。具体的には、シール部材92を形成する部材としては、例えばＰＴＦＥとポリウレタンとを複合して形成するゴアテックス(登録商標)などの、削り屑が生じない(生じにくい)ものが用いられる。このシール部材92は、断面四角形状に形成されており、内周面92a全体が筒部86の外周に密着し、遠心ファン14側(下側)の(一方の)主面92bの内縁部寄りの部分が支持部91に密着し、かつ、遠心ファン14に対して反対側(上側)の(他方の)主面92c全体が平板部85に密着している。また、このシール部材92の遠心ファン14側(下側)の主面92bには、遠心ファン14の吸込口57の周縁部57aの全周が食い込んで摺接する溝部92dが円環状に形成されている。この溝部92dは、支持部91の先端、すなわち、支持部91の筒部86に対して反対側の端部に対して外周側へと離間された位置に形成されている。なお、このシール部材92は、このシール部材92と遠心ファン14の吸込口57の周縁部57aとの摺接距離(遠心ファン14の単位回転角度当たりの摺接量)を小さくして接触抵抗を小さくするために、径方向の厚みが小さく、シール部材92の溝部92dの位置が筒部86に近い方が、すなわち遠心ファン14の吸込口57(シール部材92の溝部92d)の径寸法が小さい方が好ましい。
【００３４】
そして、カバー吸気口87は、シール部材92により遠心ファン14の吸込口57と気密に接続されている。
【００３５】
次に、上記第１の実施形態の作用を説明する。
【００３６】
電動送風機11の組み立ての際には、第１フレーム41内にモータ本体部21を収容し、ベアリング35に回転軸31の下端部を挿入固定するとともに、第２フレーム42を第１フレーム41にねじ51により固定し、ベアリング36に回転軸31の上端側を挿入固定し、第１フレーム41のブラシ取付孔44にブラシ装置27を取り付ける。
【００３７】
さらに、第２フレーム42のベアリング保持部52の外側をディフューザ15の保持孔部78に挿入してディフューザ15を第２フレーム42に取り付け、ねじ79により固定する。
【００３８】
また、ベアリング保持部52よりも突出した回転軸31にスリーブ67、ワッシャ63、遠心ファン14およびワッシャ64を順次取り付け、ナット65によりこれらを回転軸31に連結固定する。
【００３９】
一方、プレス加工などにより予め形成したファンカバー16に対して、シール部材92を支持部91と平板部85との間に挟持するように取り付け、このファンカバー16の外板部81を、第１フレーム41に圧入して固定する。この結果、シール部材92の主面92bに対して遠心ファン14の吸込口57の周縁部57aが押し付けられる。
【００４０】
この状態で、遠心ファン14を適宜回転させることにより、吸込口57の周縁部57aがシール部材92を削り、シール部材92の主面92bに、周縁部57aに密着する溝部92dが形成されて吸込口57の周縁部57aがシール部材92に食い込み、すなわち、遠心ファン14の吸込口57の周縁部57aの上端部とファンカバー16のカバー吸気口87(筒部86)の下端部とが、軸方向にラップし(遠心ファン14の吸込口57の周縁部57aの上端部がファンカバー16のカバー吸気口87(筒部86)の下端部よりも上側に位置し)、吸込口57とカバー吸気口87とが気密に接続される。なお、シール部材92は、削り屑が生じにくい部材により形成しているため、遠心ファン14の周縁部57aの食い込みによって削り屑が生じたり、溝部92dが次第に広がって行ったりすることはない。
【００４１】
そして、電動機13を駆動させると、回転軸31に連結された遠心ファン14が回転することで負圧を発生させ、カバー吸気口87および吸込口57を介して空気を遠心ファン14へと吸い込む。この後、各ファン翼59により導かれた空気は、遠心ファン14から外周方向へと吹き出され、ディフューザ15の上流側ブレード76により整流されつつディフューザ15の外周方向へと流れる。このとき、シール部材92により、遠心ファン14から外周方向へと吹き出された空気が、相対的に圧力が高くなっている遠心ファン14の上部ファンプレート58とファンカバー16との間から相対的に圧力が低くなっている吸込口57へと循環することを防止する。
【００４２】
さらに、ディフューザ15の外周方向へと流れた空気は、ディフューザ15の下流側ブレード77により整流されつつ第１フレーム41内へと流入し、電動機13(のモータ本体部21および各ブラシ装置27など)を冷却した後、各排気口45から排気される。
【００４３】
上述したように、上記第１の実施形態によれば、平板部85との間でシール部材92を挟持する支持部91を、カバー吸気口87(筒部86)を外周に向けて折り返すことで形成することにより、部品点数および工数を増加させることなくシール部材92のファンカバー16への取り付け精度を向上できる構成を、容易に形成できる。
【００４４】
次に、第２の実施形態を図３を参照して説明する。なお、上記第１の実施形態と同様の構成および作用については、同一符号を付してその説明を省略する。
【００４５】
この第２の実施形態は、上記第１の実施形態の支持部91の先端部に、上方すなわちシール部材92に向けて、換言すれば平板部85側へと、保持部94が折り返し形成されているものである。
【００４６】
保持部94は、平板部85に向けて、支持部91に対して交差(直交)する方向に突出している。また、この保持部94は、シール部材92の遠心ファン14側の主面92bに食い込み、このシール部材92を保持している。なお、保持部94は、支持部91をカバー吸気口87(筒部86)の全周に亘って円環状に連続して形成した場合、支持部91全体の先端部を折り曲げて気密性をより向上してもよいし、支持部91の先端部の複数箇所を爪状に折り曲げて加工性を向上してもよい。また、支持部91をカバー吸気口87(筒部86)の周方向に複数箇所にそれぞれ爪状に形成した場合、保持部94は各支持部91の先端部をそれぞれ折り曲げてもよく、任意の(複数の)支持部91の先端部を折り曲げてもよい。さらに、保持部94は、シール部材92と摺接する遠心ファン14の吸込口57の周縁部57aの周速を抑制してシール部材92がファンカバー16に対して周方向に回らないようにするために、すなわち、シール部材92の溝部92dの位置を筒部86に近づけるために、筒部86からの距離を小さくする方が好ましい。
【００４７】
そして、シール部材92をファンカバー16に取り付ける際には、主面92bに保持部94を食い込ませつつシール部材92を支持部91と平板部85とで軸方向に挟持する。
【００４８】
このように、上記第２の実施形態によれば、支持部91の先端部に、シール部材92に食い込んでこのシール部材92を保持する保持部94を平板部85側へと折り曲げ形成することにより、部品点数および工数を増加させることなく、シール部材92をファンカバー16に対して、より強固に固定できる。
【００４９】
次に、第３の実施形態を図４ないし図６を参照して説明する。なお、上記各実施形態と同様の構成および作用については、同一符号を付してその説明を省略する。
【００５０】
この第３の実施形態は、上記第１の実施形態の支持部91に(一方の)ローレット部(ナーリング部)96が形成され、平板部85に(他方の)ローレット部(ナーリング部)97が形成されているものである。
【００５１】
支持部91の平板部85側(上側)に形成されたローレット部96は、図５に示すように、ファンカバー16の径方向に沿って形成され互いにＸ字状に交差する対をなす例えば断面Ｖ字状の溝部96a，96bにより綾目状に形成され、断面ジグザグ状の凹凸が連続している。
【００５２】
ここで、(一方および他方の)溝部96a，96bは、ローレット加工により形成されており、周方向にそれぞれ等間隔で形成されている。なお、ローレット部96は、支持部91をカバー吸気口87(筒部86)の全周に亘って円環状に連続して形成した場合、支持部91の全周に亘って形成してもよいし、支持部91の周方向に部分的に形成してもよい。また、ローレット部96は、支持部91をカバー吸気口87(筒部86)の周方向に複数箇所にそれぞれ爪状に形成した場合、各支持部91にそれぞれ形成してもよいし、任意の(複数の)支持部91に形成してもよい。さらに、溝部96aと溝部96bとは、互いに１本ずつ交差してもよいし、互いに複数本ずつ交差してもよい。
【００５３】
また、平板部85の支持部91側(下側)に形成されたローレット部97は、図６に示すように、ファンカバー16の径方向に沿って形成され互いにＸ字状に交差する対をなす例えば断面Ｖ字状の溝部97a，97bにより綾目状に形成され、断面ジグザグ状の凹凸が連続している。
【００５４】
ここで、(一方および他方の)溝部97a，97bは、ローレット加工により形成されており、周方向にそれぞれ等間隔で形成されている。なお、ローレット部97は、平板部85の全周に亘って形成してもよいし、平板部85の周方向に部分的に形成してもよい。また、溝部97aと溝部97bとは、互いに１本ずつ交差してもよいし、互いに複数本ずつ交差してもよい。
【００５５】
そして、シール部材92をファンカバー16に取り付ける際には、支持部91と平板部85とでシール部材92を軸方向に挟持することにより、ローレット部96に対して主面92bが食い込むとともに、ローレット部97に対して主面92cが食い込み、シール部材92を固定する。
【００５６】
このように、上記第３の実施形態によれば、支持部91の平板部85側に、シール部材92との接触面積を増加させるローレット部96を形成することにより、部品点数および工数を増加させることなく、シール部材92をファンカバー16に対して、より強固に固定でき、シール部材92を周方向に回り止めできる。
【００５７】
また、平板部85の支持部91側にもシール部材92との接触面積を増加させるローレット部97を形成することにより、シール部材92をファンカバー16に対して、さらに強固に固定できる。
【００５８】
しかも、ローレット部96(ローレット部97)は、ファンカバー16の径方向に沿って形成され互いに交差する溝部96a，96b(溝部97a，97b)により綾目状に構成することで、シール部材92を効果的に食い込ませることができ、遠心ファン14から外周方向へと吹き出された空気が吸込口97へと、より循環流しにくく、かつ、シール部材92がファンカバー16から、より剥がれにくくなる。
【００５９】
なお、上記第３の実施形態において、支持部91側のローレット部96によりシール部材92を充分に固定できる場合には、平板部85側のローレット部97を形成しない構成としてもよい。
【００６０】
そして、以上説明したように、上記各実施形態によれば、ファンカバー16のカバー吸気口87の外部に位置する平板部85と、カバー吸気口87の縁部に外方に向けて折り返し形成した支持部91との間でシール部材92を軸方向に挟持して固定することにより、例えば別途の部材によってシール部材92をファンカバー16に固定する構成に対して、部品点数および工数を増加させることなくシール部材92のファンカバー16への取り付け精度を向上できる。この結果、吸込口57とカバー吸気口87とをシール部材92によって適切に接続でき、電動送風機11の動作時の摩擦抵抗を適正値に保ちつつ、遠心ファン14の外周方向へと吹き出された空気の吸込口57への循環流を効果的に遮断でき、電動送風機11の仕事率(効率)を確保できる。
【００６１】
なお、上記各実施形態において、電動送風機11は、電気掃除機、あるいはブロワなどの他にも、任意の機器に適用できる。
【符号の説明】
【００６２】
11    電動送風機
13    電動機
14    遠心ファン
16    ファンカバー
31    回転軸
57    吸込口
85    壁部としての平板部
87    カバー吸気口
91    支持部
92    シール部材
94    保持部
96    ローレット部
96a，96b   溝部
【図１】
2011252404.tif 000003
【図２】
2011252404.tif 000004
【図３】
2011252404.tif 000005
【図４】
2011252404.tif 000006
【図５】
2011252404.tif 000007
【図６】
2011252404.tif 000008